(57)【要約】【課題】より簡易に取付パネルへ固定することができる回路遮断器の取付パネルへの取付構造を提供する。【解決手段】ロック部材３０において、ロック部３２を、本体ケース４の底面から下方へ突出するロック位置と、本体ケース４内へ埋入するアンロック位置との間を上下にスライド可能とするとともに、ロック部材３０に、ロック部３２を下方へ付勢し、ロック部材３０に上方への負荷がかけられていない状態ではロック部３２をロック位置で保持するコイルバネ３３を取り付けた。また、ロック部３２の前後長さ及びロック用スリット２１の前後長さを、前掛止片８の前後長さよりも短く成形した。さらに、ロック部３２に、後側へ突出する当接片３２ｃを設け、前掛止片８を前スリット２２の前端位置において挿通させた際、操作片３１やロック部３２の前端が取付パネル２０よりも前方位置にあっても、当接片３２ｃが取付パネル２０の表面に当接するようにした。【選択図】図４
2019040737.tif 000002
【特許請求の範囲】
【請求項１】
本体ケースの底面に、後方へ屈曲する鉤状に成形された２つの掛止片が突設されているとともに、前記本体ケースの前端底部に、前記本体ケースの底面から下方へ突出可能なロック部を備えたロック部材が設けられた回路遮断器を取付パネルへ取り付けるための取付構造であって、
前記取付パネルにおいて、各前記掛止片が夫々挿通可能で前後方向へ延びる２つのスリットと、前記ロック部が挿通可能で前後方向へ延びるロック用スリットとが設けられており、
各前記掛止片を夫々対応する前記スリットに挿通させ、各前記スリットの後端に各前記掛止片を夫々掛止させるとともに、前記ロック部を前記ロック用スリット内に位置させ、前記ロック用スリットの前端と前記ロック部とを当接させることにより、前記回路遮断器を前記取付パネルに固定可能とする一方、
前記回路遮断器において、前記ロック部が、前記本体ケースの底面から下方へ突出するロック位置と、前記本体ケース内へ埋入するアンロック位置との間を上下にスライド可能となっているとともに、
前記ロック部材に、前記ロック部を下方へ付勢し、前記ロック部材に上方への負荷がかけられていない状態では前記ロック部を前記ロック位置で保持する弾性手段が設けられていることを特徴とする回路遮断器の取付パネルへの取付構造。
【請求項２】
前記ロック部の前後長さ及び前記ロック用スリットの前後長さが、前記掛止片の前後長さよりも短いことを特徴とする請求項１に記載の回路遮断器の取付パネルへの取付構造。
【請求項３】
前記ロック部に、後側へ突出する突出部が設けられており、
前記掛止片を前記スリットの前部において挿通させた際、前記ロック部の前端が前記取付パネルよりも前方位置にあっても、前記突出部が前記取付パネルの表面に当接することを特徴とする請求項１又は２に記載の回路遮断器の取付パネルへの取付構造。
【発明の詳細な説明】
【技術分野】
【０００１】
本発明は、たとえば分電盤内等に設置される回路遮断器の取付パネルへの取付構造に関するものである。
【背景技術】
【０００２】
従来、回路遮断器を分電盤内に設置する際には、取付パネルを介することが一般的である。そして、回路遮断器を取付パネルに取り付ける一般的な構造としては、取付パネルにスリットを開設するとともに、回路遮断器の底面に、スリットに掛止する掛止片を設けるといった構造があり、回路遮断器の電源側端子側を後側、負荷側端子側を前側とすると、スリットを介して掛止片を取付パネルの下側まで突出させた後、回路遮断器を後側へ押し込むことで、スリットの後端に掛止片を掛止させるようになっている。ただ、当該状態のままでは回路遮断器を取り付けたことにはならない。そこで、たとえば特許文献１に記載の発明では、回路遮断器に、上下方向へのスライド操作によって本体ケース内へ埋入／本体ケースから突出するロックレバーを設けており、スリットと掛止片との掛止状態においてロックレバーを下方へスライドさせて本体ケースから突出させ、ロックレバーとスリットの前端とを当接させることにより、自身の前側への移動が規制されるようにしている。
【先行技術文献】
【特許文献】
【０００３】
【特許文献１】特許第４１５３１５５号公報
【発明の概要】
【発明が解決しようとする課題】
【０００４】
しかしながら、上記特許文献１に記載の発明では、特に回路遮断器の取付パネルへの取り付け時に一々ロックレバーを操作しなければならず、作業が煩わしい、ロックのし忘れが起こる等の問題があった。
【０００５】
そこで、本発明は、上記問題に鑑みなされたものであって、より簡易に取付パネルへ取り付けることができる回路遮断器の取付パネルへの取付構造を提供しようとするものである。
【課題を解決するための手段】
【０００６】
上記目的を達成するために、本発明は、本体ケースの底面に、後方へ屈曲する鉤状に成形された２つの掛止片が突設されているとともに、前記本体ケースの前端底部に、前記本体ケースの底面から下方へ突出可能なロック部を備えたロック部材が設けられた回路遮断器を取付パネルへ取り付けるための取付構造であって、前記取付パネルにおいて、各前記掛止片が夫々挿通可能で前後方向へ延びる２つのスリットと、前記ロック部が挿通可能で前後方向へ延びるロック用スリットとが設けられており、各前記掛止片を夫々対応する前記スリットに挿通させ、各前記スリットの後端に各前記掛止片を夫々掛止させるとともに、前記ロック部を前記ロック用スリット内に位置させ、前記ロック用スリットの前端と前記ロック部とを当接させることにより、前記回路遮断器を前記取付パネルに固定可能とする一方、前記回路遮断器において、前記ロック部が、前記本体ケースの底面から下方へ突出するロック位置と、前記本体ケース内へ埋入するアンロック位置との間を上下にスライド可能となっているとともに、前記ロック部材に、前記ロック部を下方へ付勢し、前記ロック部材に上方への負荷がかけられていない状態では前記ロック部を前記ロック位置で保持する弾性手段が設けられていることを特徴とする。
請求項２に記載の発明は、請求項１に記載の発明において、前記ロック部の前後長さ及び前記ロック用スリットの前後長さが、前記掛止片の前後長さよりも短いことを特徴とする。
請求項３に記載の発明は、請求項１又は２に記載の発明において、前記ロック部に、後側へ突出する突出部が設けられており、前記掛止片を前記スリットの前部において挿通させた際、前記ロック部の前端が前記取付パネルよりも前方位置にあっても、前記突出部が前記取付パネルの表面に当接することを特徴とする。
【発明の効果】
【０００７】
本発明によれば、回路遮断器に設けられたロック部材において、ロック部が、本体ケースの底面から下方へ突出するロック位置と、本体ケース内へ埋入するアンロック位置との間を上下にスライド可能となっているとともに、ロック部材に、ロック部を下方へ付勢し、ロック部材に上方への負荷がかけられていない状態ではロック部をロック位置で保持する弾性手段が設けられている。そのため、回路遮断器の取付パネルへの取り付けにあたり、掛止片をスリットに挿通させるとともにロック部を取付パネルの表面に当接させた状態から回路遮断器に下方への負荷をかけるだけで、ロック部は自動的にアンロック位置側へスライドし、そのまま掛止片がスリットの一端に掛止されるように回路遮断器を後方へ押し込めば、ロック部が最終的にロック位置へ復帰して回路遮断器が取付パネルへ固定されることになる。すなわち、作業者は、一々ロック部材を操作せずとも、回路遮断器を取付パネルへ固定することができる。したがって、ロックをし忘れたりすることもなく、従来よりも簡易に回路遮断器を取付パネルへ固定することができる。
また、請求項２に記載の発明によれば、ロック部の前後長さ及びロック用スリットの前後長さが、掛止片の前後長さよりも短く成形されているため、掛止片を誤ってロック用スリットに挿通させるようなことがなく、回路遮断器の取付パネルへの取り付けを一層簡易に行うことができる。
さらに、請求項３に記載の発明によれば、ロック部に、後側へ突出する突出部が設けられており、掛止片をスリットの前部において挿通させた際、ロック部の前端が取付パネルよりも前方位置にあっても、突出部が取付パネルの表面に当接するようになっている。したがって、掛止片をスリットに挿通させた状態から回路遮断器に下方への負荷をかけた際、ロック部が取付パネル上に位置しておらず、ロック部がアンロック位置側へスライドしないという事態が起こらず、回路遮断器の取付パネルへの取り付けを極めて簡易に行うことができる。
【図面の簡単な説明】
【０００８】
【図１】取付パネルへ取り付けた状態にある回路遮断器を示した斜視説明図である。
【図２】取付パネルへ取り付けた状態にある回路遮断器を側方から示した説明図である。
【図３】ロック部材を示した説明図であり、（ａ）は斜視図、（ｂ）は側面図である。
【図４】ロック部材により回路遮断器がロックされた状態を示した説明図である。
【図５】ロック部材によるロックが解除された状態を示した説明図である。
【図６】当接片が取付パネルの表面に当接している状態を示した説明図である。
【発明を実施するための形態】
【０００９】
以下、本発明の一実施形態となる回路遮断器の取付パネルへの取付構造について、図面にもとづき詳細に説明する。
図１は、取付パネル２０へ取り付けた状態にある回路遮断器１を示した斜視説明図であり、図２は、同状態にある回路遮断器１を側方から示した説明図である。図３は、ロック部材３０を示した説明図であり、（ａ）は斜視図、（ｂ）は側面図である。図４は、ロック部材３０により回路遮断器１がロックされた状態を示した説明図であり、図５は、ロック部材３０によるロックが解除された状態を示した説明図である。図６は、当接片３２ｃが取付パネル２０の表面に当接している状態を示した説明図である。なお、負荷側端子３側を回路遮断器１の前側として説明する。
【００１０】
回路遮断器１は、合成樹脂製の左右一対のケースを組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構が作動し、後述する電源側端子２と負荷側端子３とを電気的につなぐ電路が接続／開放されるようになっている。また、本体ケース４の底面には、後方へ屈曲する鉤状に成形された一組の掛止片（前掛止片８及び後掛止片９）が下方へ突設されている。なお、本体ケース４内には、図示しない過電流検知機構も設けられており、過電流を検知すると上記遮断機構が開動作するようになっている。
【００１１】
また、回路遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、分電盤内等に配設される電源ラインである導体バー（図示せず）や該導体バーから分岐された分岐バー（図示せず）を挿入接続可能となっている。
【００１２】
一方、回路遮断器１の前面は、前側へ向かって下降傾斜する傾斜面に形成されており、該傾斜面には、負荷配線（図示せず）を挿入接続可能な３つの端子Ｌ１、Ｌ２、Ｌ３（なお、端子Ｌ２に関してはカバー部材１０により覆われているため図示しない）を傾斜方向へ一列に備えてなる負荷側端子３が配置されている。各端子Ｌ１〜Ｌ３は、傾斜面に直交する方向へ負荷配線を挿入可能な端子孔５を有するとともに、本体ケース４内における端子孔５の内側となる位置に設置され、端子孔５を介して挿入された負荷配線に接触可能とされた端子金具（図示せず）を有しており、所謂速結端子として機能するようになっている。
【００１３】
また、各端子Ｌ１〜Ｌ３では、端子孔５の下側に隣接して、絶縁抵抗測定試験を行うための計器の測定端子を差し込み可能な差込孔６が開設されている。各差込孔６は、測定端子の差し込み方向が上下方向となるように、すなわち負荷配線の挿入方向とは異なる方向となるように開設されている。また、本体ケース４における差込孔６の内側となる位置には、隣接した端子孔５の内側にある端子金具に接触する測定用金具（図示せず）が配置されている。さらに、回路遮断器１の前面には、端子Ｌ１〜Ｌ３のうち使用しない端子及び差込孔６を被覆するカバー部材１０が、案内壁１１に沿ってスライド可能に取り付けられている。
【００１４】
加えて、本体ケース４の底部前端には、下方へ開口しており、後述するロック部材３０の一部を収納可能な収納凹部２５が設けられている。また、本体ケース４の前面底部には、収納凹部２５と連通する操作窓２６が開設されている。そして、この収納凹部２５に、回路遮断器１の取付パネル２０からの脱落を防止するためのロック部材３０が組み付けられている。なお、前掛止片８、後掛止片９、及びロック部材３０は、前後方向で一直線上に設けられている。
【００１５】
ロック部材３０は、上下方向へ延びる帯状の立ち上げ部３１ａ、立ち上げ部３１ａの上端から前側へ突出する摘み部３１ｂ、及び立ち上げ部３１ａの下端から後側へ突出する基部３１ｃを有する操作片３１と、基部３１ｃから下方へ突出するロック部３２とを一体的に備えてなる。また、ロック部３２の上面には、上方へ突出する取付軸３２ａが設けられており、当該取付軸３２ａを巻回する格好でコイルバネ３３が取り付けられている。さらに、ロック部３２における取付軸３２ａの左右両側には、ロック部材３０の本体ケース４への取付時に本体ケース４の表面（具体的には、収納凹部２５の内面）に当接し、ロック部材３０の上下方向への移動をスムーズに案内するため案内ブロック３２ｂ、３２ｂが設けられている。加えて、ロック部３２の下部には、後側へ突出する当接片３２ｃが設けられている。ただ、ロック部３２（当接片３２ｃを含む）の前後方向長さは、後述する取付パネル２０のロック用スリット２１の前後長さよりは短くなっているとともに、前掛止片８の前後長さよりも短くなっている。このようなロック部材３０は、収納凹部２５内に案内ブロック３２ｂ、３２ｂやコイルバネ３３が収納され、操作片３１が操作窓２６を介して本体ケース４の前方に突出した状態で組み付けられている。
【００１６】
そして、上記ロック部材３０は、通常（ロック部材３０に上方への負荷がかけられていない状態）、コイルバネ３３の付勢力により操作片３１の基部３１ｃが操作窓２６の下端に当接した状態にあり、ロック部３２は本体ケース４の底面よりも下方へ突出したロック位置で保持されている。また、直接ロック部３２に上方への負荷がかかったり、コイルバネ３３の付勢力に抗して操作片３１が上方へ操作されたりして、操作片３１の基部３１ｃが操作窓２６の上端に当接するまで移動すると、ロック部３２は本体ケース４内へ埋入したアンロック位置へ移動することになる。
【００１７】
一方、取付パネル２０は、前端が下方へ折り曲げられてなるもので、前縁側にはロック用スリット２１及び前スリット２２が開設されている一方、前スリット２２の後方には後スリット２３が開設されている。そして、ロック用スリット２１、前スリット２２、及び後スリット２３は、前後方向へ一直線上に設けられているとともに、回路遮断器１の並設方向へ所定間隔毎に複数組設けられている。
【００１８】
ロック用スリット２１は、ロック部３２より僅かに前後方向へ長く、且つ、前掛止片８の前後方向長さよりは短く開設されたスリットであって、ロック部３２のみが挿通可能となっており、ロック用スリット２１の前端と挿通状態にあるロック部３２とが干渉することにより、回路遮断器１の前後方向への移動を規制するようになっている。
【００１９】
前スリット２２は、ロック用スリット２１よりも前後方向へ長く形成されており、前掛止片８を挿通させ、その後端に前掛止片８の屈曲部を掛止させることにより、回路遮断器１の上方向への移動を規制するようになっている。また、前スリット２２の後端からロック用スリット２１の前端までの距離は、回路遮断器１におけるロック部３２と前掛止片８の屈曲部との前後方向での距離と同じとなっている。さらに、前スリット２２は、回路遮断器１の取付パネル２０への取り付け時に前掛止片８を前スリット２２の前端位置から挿通させた際、回路遮断器１の前端（特にロック部材３０の操作片３１やロック部３２の前端）が取付パネル２０よりも前方へ突出するような位置に開設されている。
【００２０】
後スリット２３は、後掛止片９を挿通可能なスリットであって、その後端に後掛止片９の屈曲部を掛止させることにより、回路遮断器１の上方向への移動を規制するようになっている。また、後スリット２３は、前スリット２２よりも更に前後方向に長く形成され、前掛止片８を前スリット２２へ挿通させた際、同時に後掛止片９も後スリット２３へ挿通するようになっている。さらに、後スリット２３の後端から前スリット２２の後端までの前後方向での距離は、回路遮断器１における前掛止片８と後掛止片９との前後距離と同じとされており、前掛止片８を前スリット掛止させると、後掛止片９の屈曲部も同時に掛止するようになっている。
【００２１】
ここで、上記ロック部材３０を有する回路遮断器１の取付パネル２０への着脱作業について説明する。
まず、回路遮断器１を取付パネル２０に取り付けるにあたっては、取付パネル２０の上方から回路遮断器１を取付パネル２０に近接させて、前掛止片８を前スリット２２に、後掛止片９を後スリット２３に夫々挿通させる。このとき、後スリット２３よりも後側に配設されている導体バー等との干渉を避けるべく、前スリット２２の前端位置にて前掛止片８を挿通させることになる。したがって、回路遮断器１におけるロック部材３０の操作片３１やロック部３２の前端は取付パネル２０よりも前方にあるものの、後側へ延びる当接片３２ｃが取付パネル２０の前縁に接触することになり、回路遮断器１の底面（特に前部側の底面）は取付パネル２０の表面から浮いた状態となる（図６）。そこで、当該状態から、回路遮断器１に対して下方へ負荷をかけてロック部材３０をアンロック位置側へ移動させ、回路遮断器１の底面を取付パネル２０の表面に当接させた状態とし、その状態のまま回路遮断器１を後側へ押し込んで、電源側端子２に導体バーを差し込み接続するとともに、前掛止片８を前スリット２２の後端に、後掛止片９を後スリット２３の後端に夫々掛止させればよい。両掛止片８、９がスリット２２、２３に掛止したことをもって、ロック部３２全体がロック用スリット２１の上方に達する。したがって、ロック部３２は、コイルバネ３３の付勢力によりロック用スリット２１内へ自動的に突出してロック位置へ復帰し、ロック用スリット２１の前端に当接して（図４）、回路遮断器１の取付パネル２０への取り付け及び回路遮断器１の導体バーとの接続が完了する。
【００２２】
一方、回路遮断器１を取付パネル２０から取り外すにあたっては、操作片３１を上方へ操作して、ロック部３２をアンロック位置へ移動させる。すると、ロック部３２とロック用スリット２１の前端との干渉が解除される（図５）、すなわち回路遮断器１の取付パネル２０への固定状態が解除されるため、操作片３１を引き上げた状態のまま、回路遮断器１を前側へ引き出し（ロック部３２がロック用スリット２１よりも前側へ位置するまで引き出し）、電源側端子２から導体バーを引き抜くとともに、前掛止片８と前スリット２２との掛止状態、及び後掛止片９と後スリット２３との掛止状態を夫々解除する。その後、回路遮断器１を上方へ持ち上げて、前掛止片８を前スリット２２から、後掛止片９を後スリット２３から夫々抜き取ればよい。なお、各掛止片８、９と各スリット２２、２３との掛止状態を解除した時点で、操作片３１の引き上げ操作についても解除してよい。
【００２３】
以上のような構成を有する回路遮断器１の取付パネル２０への取付構造によれば、ロック部材３０において、ロック部３２が、本体ケース４の底面から下方へ突出するロック位置と、本体ケース４内へ埋入するアンロック位置との間を上下にスライド可能となっているとともに、ロック部材３０に、ロック部３２を下方へ付勢し、ロック部材３０に上方への負荷がかけられていない状態ではロック部３２をロック位置で保持するコイルバネ３３が取り付けられている。そのため、回路遮断器１の取付パネル２０への取り付けにあたり、両掛止片８、９を夫々対応するスリット２２、２３に挿通させ、当接片３２ｃが取付パネル２０の表面に当接している状態から回路遮断器１に下方への負荷をかけるだけで、ロック部３２は自動的にアンロック位置側へスライドするとともに、そのまま前掛止片８が前スリット２２の後端に、後掛止片９が後スリット２３に夫々掛止されるように回路遮断器１を後方へ押し込めば、ロック部３２が最終的にロック位置へ復帰してロック用スリット２１の前端と当接し、回路遮断器１が取付パネル２０へ固定されることになる。すなわち、作業者にしてみると、回路遮断器１の取付パネル２０への固定に際して、一々ロック部材３０を操作する必要がない。したがって、ロックをし忘れたりすることもなく、従来よりも簡易に回路遮断器１を取付パネル２０へ固定することができる。
【００２４】
また、ロック部３２の前後長さ及びロック用スリット２１の前後長さが、前掛止片８の前後長さよりも短く成形されているため、前掛止片８を誤ってロック用スリット２１に挿通させるようなことがなく、回路遮断器１の取付パネル２０への取り付けを一層簡易に行うことができる。
さらに、ロック部３２に、後側へ突出する当接片３２ｃが設けられており、前掛止片８を前スリット２２の前端位置において挿通させた際、操作片３１やロック部３２の前端が取付パネル２０よりも前方位置にあっても、当接片３２ｃが取付パネル２０の表面に当接するようになっている。したがって、両掛止片８、９をスリット２２、２３に挿通させた状態から回路遮断器１に下方への負荷をかけた際、ロック部３２が取付パネル２０上へ位置しておらず、ロック部３２がアンロック位置側へスライドしないという事態が起こらず、回路遮断器１の取付パネル２０への取り付けを極めて簡易に行うことができる。
【００２５】
なお、本発明の回路遮断器の取付パネルへの取付構造に係る構成は、上記実施形態の態様に何ら限定されるものではなく、回路遮断器や取付パネルの全体的な構造は勿論、ロック部材に係る構成等についても、本発明の趣旨を逸脱しない範囲で、必要に応じて適宜変更することができる。
【００２６】
たとえば、上記実施形態では、弾性手段としてコイルバネをロック部に取り付けるとしているが、ロック部に板バネ部を一体的に成形して弾性手段を構成してもよく、どのような弾性手段を設けるかは適宜設計変更可能である。
また、ロック部や前掛止片、ロック用スリット、前スリット等の前後長さをどのようにするかは言うまでもなく設計変更可能であるし、ロック部に当接片を設けるか否かについても適宜変更可能である。
【符号の説明】
【００２７】
１・・回路遮断器、２・・電源側端子、３・・負荷側端子、４・・本体ケース、８・・前掛止片、９・・後掛止片、２０・・取付パネル、２１・・ロック用スリット、２２・・前スリット、２３・・後スリット、２５・・収納凹部、２６・・操作窓、３０・・ロック部材、３１・・操作片、３２・・ロック部、３２ｃ・・当接片（突出部）、３３・・コイルバネ（弾性手段）。
【図１】
2019040737.tif 000003
【図２】
2019040737.tif 000004
【図３】
2019040737.tif 000005
【図４】
2019040737.tif 000006
【図５】
2019040737.tif 000007
【図６】
2019040737.tif 000008